(57)【要約】      （修正有）【課題】計測回路及びそれを利用したセンサを提供する。【解決手段】デジタルＩＣによって構成された論理回路と、該論理回路の一方の入力側の論理値を予め決定するための回路を設けるとともに、前記論理値の他方の入力側と一方の電源側を計測用端子とし、前記論理値の他方の入力側と他方の電源側との間に、動作範囲を設定するための回路を設けた。【選択図】図１
0003225240.tif 000002
【実用新案登録請求の範囲】
【請求項１】
デジタルＩＣによって構成された論理回路と、
該論理回路の一方の入力側の論理値を予め決定するための回路を設けるとともに、
前記論理値の他方の入力側と一方の電源側を計測用端子とし、
前記論理値の他方の入力側と他方の電源側との間に、動作範囲を設定するための回路を設けたことを特徴とする計測回路。
【請求項２】
前記論理回路の出力側に、入力側と出力側を電気的に分離する分離回路を設けたことを特徴とする請求項１記載の計測回路。
【請求項３】
前記計測回路を、複数並列に接続したことを特徴とする計測回路。
【請求項４】
前記論理回路は、Ｃ−ＭＯＳ型もしくはＴＴＬ型のＮＡＮＤ回路もしくはＡＮＤ回路であることを特徴とする請求項１〜３のいずれか一項に記載の計測回路。
【請求項５】
請求項１〜４のいずれか一項に記載の計測回路を使用するセンサであって、
前記計測用端子に計測対象を計測するための電極を接続したことを特徴とするセンサ。
【請求項６】
前記計測対象が液体の水位であり、前記液体に投入された電極棒を前記計測用端子に接続したことを特徴とする請求項５記載のセンサ。
【請求項７】
前記センサに、前記計測対象の種類を示す表示を行う表示手段を設けたことを特徴とする請求項５記載のセンサ。
【考案の詳細な説明】
【技術分野】
【０００１】
本考案は、液体の水位検知などに好適な計測回路及びそれを利用したセンサに関し、例えば抵抗値が高い超純水の水位計測に好適な計測回路及びそれを利用したセンサに関する。
【背景技術】
【０００２】
従来の水位センサとしては、例えば、下記特許文献１記載の「水位センサ」がある。これは、温度や湿度などが変動しても正確な水位測定を行うことを目的としたもので、絶縁材料から構成され、内部に液体が侵入する空洞部を有する管状構造体を用意し、その中心軸上に所定間隔をおいて複数の観測点を定義する。そして、管状構造体の表面に、空洞部を挟んで対向する位置に形成された電極層によって複数組の電極対を、前記観測点に対応して形成する。各電極対間の静電容量を電気的に測定することにより、どの観測点位置までが液体で満たされているかを認識し、観測点の配置間隔の精度で水位測定を行うようにしている。
【先行技術文献】
【特許文献】
【０００３】
【特許文献１】特開平１１−３１１５６２号公報
【考案の概要】
【考案が解決しようとする課題】
【０００４】
ところで、上述した特許文献１の背景技術のように、複数の観測点で水位を測定する場合、各観測点毎に判定回路を設けることになる。水位計測を精度よく行うためには、観測点を多数設ける必要があり、従って、判定回路の数も増えていく。してみると、判定回路は、簡便な回路構成であることが望ましい。また、水位といっても、抵抗値ないし導電率は様々であり、多様な対象を計測できると好都合である。
【０００５】
本考案は、以上のような点に着目したもので、簡便な構成でありながら、各種の対象に対する計測を行うことを、その目的とする。
【課題を解決するための手段】
【０００６】
本考案の計測回路は、デジタルＩＣによって構成された論理回路と、該論理回路の一方の入力側の論理値を予め決定するための回路を設けるとともに、前記論理値の他方の入力側と一方の電源側を計測用端子とし、前記論理値の他方の入力側と他方の電源側との間に、動作範囲を設定するための回路を設けたことを特徴とする。
【０００７】
主要な形態の一つによれば、前記論理回路の出力側にフォトカップラを設けたことを特徴とする。あるいは、前記計測回路を複数並列に接続したことを特徴とする。他の形態によれば、前記論理回路は、Ｃ−ＭＯＳ型もしくはＴＴＬ型のＮＡＮＤ回路もしくはＡＮＤ回路であることを特徴とする。
【０００８】
本発明のセンサは、前記いずれかの計測回路を使用するセンサであって、前記計測用端子に計測対象を計測するための電極を接続したことを特徴とする。主要な形態の一つによれば、前記計測対象が液体の水位であり、前記液体に投入された電極棒を前記計測用端子に接続したことを特徴とする。他の形態によれば、前記センサに、前記計測対象の種類を示す表示を行う表示手段を設けたことを特徴とする。本考案の前記及び他の目的，特徴，利点は、以下の詳細な説明及び添付図面から明瞭になろう。
【考案の効果】
【０００９】
本考案によれば、デジタルＩＣによって構成された論理回路と、該論理回路の一方の入力側の論理値を予め決定するための回路を設けるとともに、前記論理値の他方の入力側と一方の電源側を計測用端子とし、前記論理値の他方の入力側と他方の電源側との間に、動作範囲を設定するための回路を設けることとしたので、計測回路の構成が大幅に簡略化されるとともに、各種の対象に対する計測を行うことができる。
【図面の簡単な説明】
【００１０】
【図１】デジタルＩＣの基本的な動作を示す図である。
【図２】前記デジタルＩＣの入力と出力の関係の一例を示す図である。
【図３】本考案の実施例１の測定回路と測定値の一例を示す図である。
【図４】前記実施例１における入力端子間電位と出力端子間電位の関係を示す図である。
【図５】前記実施例１における感度推移の一例を示す図である。
【図６】前記実施例１における抵抗値変化と入力端子間電位の関係を示す図である。
【図７】本考案の実施例２を示す図である。
【図８】本考案の実施例３を示す図である。
【図９】本考案の実施例４を示す図である。
【図１０】本考案の実施例５を示す図である。
【考案を実施するための形態】
【００１１】
本考案によれば、デジタルＩＣに対しアナログ的制御を行って水位センサに活用することで、簡便な構成でありながら、ワイドレンジで多種・多様な用途に対応でき、再現性，安定性，リニアリティに優れた低消費電力の回路を得ることができる。以下、本考案を実施するための最良の形態を、実施例に基づいて詳細に説明する。
【実施例１】
【００１２】
最初に、図１〜図６を参照しながら、本考案の実施例１について説明する。この実施例１は、最も基本的な回路構成を示すものである。図１(A)には、デジタルＩＣの基本回路が示されている。論理回路ＩＣ１は、入力Ａ，Ｂ及び出力Ｃとなっており、駆動電圧はＶＤＤ，ＶＳＳとなっている。論理回路ＩＣ１は、同図(B)に示すように、ＴＴＬ(Transistor-transistor logic)ＩＣ，ＣＭＯＳ (Complementary Metal Oxide Semiconductor)ＩＣのいずれであってもよく、入力Ａ，Ｂに対してＮＡＮＤもしくはＡＮＤの論理演算を行って出力Ｃとするデジタル回路である。同図(C)にはＡＮＤの演算を行う場合の入力Ａ，Ｂと出力Ｃの論理値が示されており、同図(D)にはＮＡＮＤの演算を行う場合の入力Ａ，Ｂと出力Ｃの論理値が示されている。本発明は、このようなＨとＬの２値の論理演算機能を、ＯＮ−ＯＦＦセンサとして応用する。
【００１３】
デジタルＩＣには、
ａ，特性のばらつきが少ない。
ｂ，精度、安定性がよい。
ｃ，応答速度が早い。
ｄ，消費電力が少ない。
ｅ，汎用性，互換性がよく、安価である。
といった利点がある。
【００１４】
論理回路ＩＣ１がＣ−ＭＯＳ型ＩＣの場合、動作特性は、例えば、図２(A)に示すようになる。すなわち、駆動電圧ＶＤＤ，ＶＳＳの中間であるしきい値中心（1/2)Ｖ，ただしＶ＝ＶＤＤ−ＶＳＳ）に対し、
ａ，論理値Ｈ側のしきい値＝ＶＤＤ−(1/3)Ｖ＝ＶＳＳ＋(2/3)Ｖ＝(2/3)Ｖ
ｂ，論理値Ｌ側のしきい値＝ＶＤＤ−(2/3)Ｖ＝ＶＳＳ＋(1/3)Ｖ＝(1/3)Ｖ
となる。すなわち、ＶＳＳからＶＤＤに至る範囲が３等分され、電圧が高い1/3の領域が論理値Ｈとなり、中間の1/3の領域がしきい値領域となり、電圧が低い1/3の領域が論理値Ｌとなる。例えば、ＶＤＤ＝５[V]，ＶＳＳ＝０[V]であるとすると、
ａ，５[V]≧Ｈ領域≧３．３３[V]， 
ｂ，３．３３[V]＞しきい値領域＞１．６６[V]
ｃ，１．６６[V]≧Ｌ領域≧０[V]
といった具合である。なお、３．３３[V]，１．６６[V]をしきい値領域に含めるようにしてもよい。
【００１５】
同図(B)は、論理回路ＩＣ１がＴＴＬ型ＩＣの場合であり、同様にＶＤＤ＝５[V]，ＶＳＳ＝０[V]であるとすると、
ａ，５[V]≧Ｈ領域≧１．６[V]， 
ｂ，１．６[V]＞しきい値領域＞０．４[V]
ｃ，０．４[V]≧Ｌ領域≧０[V]
となる。なお、１．６[V]，０．４[V]をしきい値領域に含めるようにしてもよい。
【００１６】
以上のように、Ｈ領域とＬ領域の間にしきい値領域があるので、論理値判定におけるチャタリング防止を図ることができる。本発明は、以上のようなデジタルＩＣの特性をアナログ的に使用することで、優れた水位センサを得るようにしたものである。
【００１７】
図３には、本実施例の水位検知回路の構成が示されている。同図において、論理回路ＩＣ１の一方の入力Ａには、抵抗ＲＡを介して駆動電圧ＶＤＤが印加されており、他の入力Ｂには、可変抵抗（もしくは固定抵抗）Ｒ１を介して駆動電圧ＶＳＳが印加されている。また、センサとしての入力端子Ｐ，Ｑのうち、Ｐは駆動電圧ＶＤＤとなっており、Ｑは論理回路ＩＣ１の入力Ｂとなっている。一方、論理回路ＩＣ１の出力Ｃは、抵抗ＲＢを介してトランジスタＴＲ１のベースに入力されており、トランジスタＴＲ１の駆動電圧ＶＤＤ側にフォトカップラＨＰが接続されており、このフォトカップラＨＰの出力が、センサとしての出力端子Ｘ，Ｙとなっている。フォトカップラＨＰは、入力側と出力側を電気的に分離するためのもので、これにより、出力が入力側の影響を受けることがない。
【００１８】
端子Ｑ，Ｒ間のバイアス用の抵抗Ｒ１は、常に（ＶＤＤ−ＶＳＳ）／２となるようにしており、これがしきい値の中心となることから、抵抗Ｒ１の選択により、センサとしての動作範囲が決まり、マルチ型のセンサとして機能する。論理回路ＩＣ１の入力Ａが抵抗ＲＡによって常に論理値のＨとしているので、出力Ｃの論理値によるトランジスタＴＲ１のＯＮ，ＯＦＦは、論理回路ＩＣ１の入力Ｂの電位値で決まるようになる。
【００１９】
ここで、測定対象の代わりに可変抵抗Ｒ２を接続し、これを可変させたときの入力Ｂの電圧の変化の計測例を示すと、同図(B)，(C)に示すようになる。(B)はＣ−ＭＯＳ型の場合であり、同図(B)の上段は抵抗Ｒ１＝５０ｋΩとして可変抵抗Ｒ２を変化させたときの入力Ｂの変化を示し、下段は抵抗Ｒ１＝５００ｋΩとして可変抵抗Ｒ２を変化させたときの入力Ｂの変化を示す。これらの数値を図２(A)と対比すると、
ａ，可変抵抗Ｒ２の値が抵抗Ｒ１の１／２以下がＨ領域，
ｂ，可変抵抗Ｒ２の値が抵抗Ｒ１と同じ値のときがしきい値中心，
ｃ，可変抵抗Ｒ２の値が抵抗Ｒ１の２倍以上がＬ領域，
となる。
【００２０】
一方、同図(C)はＴＴＬ型の場合であり、同図(C)の上段は抵抗Ｒ１＝５０Ωとして可変抵抗Ｒ２を変化させたときの入力Ｂの変化を示し、下段は抵抗Ｒ１＝５００Ωとして可変抵抗Ｒ２を変化させたときの入力Ｂの変化を示す。これらの数値を図２(B)と対比すると、
ａ，可変抵抗Ｒ２の値が抵抗Ｒ１の２倍以下がＨ領域，
ｂ，可変抵抗Ｒ２の値が抵抗Ｒ１の４倍のときがしきい値中心，
ｃ，可変抵抗Ｒ２の値が抵抗Ｒ１の１０倍以上がＬ領域，
となる。
【００２１】
これらの点からすると、可変抵抗Ｒ１の値、別言すれば測定対象の抵抗値に応じて、抵抗Ｒ２の値を適当に選択することで、測定対象の有無を論理的に検知することが可能となる。
【００２２】
図４には、Ｃ−ＭＯＳ型の場合におけるＰ−Ｑ間電位とＱ−Ｒ間電位の推移の相関関係が示されている。横軸は可変抵抗Ｒ２，縦軸はＶＤＤ−ＶＳＳ間電位である。抵抗Ｒ１が３００ｋΩの場合と、５００ｋΩの場合を示している。同図に示すように、Ｐ−Ｑ間電位とＱ−Ｒ間電位は、しきい値電圧＝２．５[V]を中心に対称に推移する。図５には、感度推移曲線が示されている。同図の横軸は抵抗Ｒ１の値であり、縦軸はΔＶの利得電圧の電圧[V]である。この図によれば、抵抗Ｒ１の変化ΔＲに対する電圧の変化ΔＶは、抵抗Ｒ１の値が小さいほど大きく、センサとしての感度が高いことになる。
【００２３】
図６には、抵抗Ｒ１と可変抵抗Ｒ２の変化に伴うＱ−Ｒ間電位変化の関係が示されている。同図の横軸は可変抵抗Ｒ２であり、縦軸はＶＤＤ−ＶＳＳ間電位である。抵抗Ｒ１を、３００ｋΩ，５００ｋΩ，１ＭΩとした場合がそれぞれ示されている。同図に示すように、抵抗Ｒ１の値が大きいほど、Ｈ領域，Ｌ領域が広くなる。別言すれば、検知領域が広くなる。また、論理回路ＩＣ１がＴＴＬ型の場合は、抵抗Ｒ１の値は低いほうが、Ｈ領域，Ｌ領域が広くなる。
【００２４】
このように、
ａ，抵抗Ｒ１の値が小さいほどセンサとしての感度が高い。
ｂ，抵抗Ｒ１の値が大きいほど検知領域が広くなる。
抵抗Ｒ１の選定にあたっては、以上のような点を考慮する。
【００２５】
以上のように、本実施例によれば、次のような効果がある。
ａ，汎用のデジタルＩＣを使用するため、安定した動作のＯＮ・ＯＦＦセンサを得ることができる。
ｂ，ＮＡＮＤ型，ＡＮＤ型の素子を選択することで、検出対象があるときに出力がＯＮとなるＮＯ（ノーマリーオープン）型，検出対象がないときに出力がＯＮとなるＮＣ（ノーマリークローズ）型のいずれのセンサも得ることができる。
ｃ，Ｃ−ＭＯＳ型，ＴＴＬ型，いずれのタイプにも適用できる。
ｄ，フォトカップラを利用することで、入力と出力が分離され、出力に入力が影響しない。
ｅ，検出対象が低抵抗値から高抵抗値に至るまで良好に測定することができる。このため、例えば、抵抗値が低い水から抵抗値が高い純水に至るまで水位検出を行う水位センサにも好適である。
ｆ，計測回路が非常に簡便な構成となっている。
【実施例２】
【００２６】
次に、図７を参照しながら、本発明の実施例２について説明する。同図の例は、前記実施例における抵抗Ｒ１を複数の並列抵抗で構成し、スイッチＳＷ１で切り換えるようにした例である。これにより、入力が変化しても抵抗Ｒ１を切り替えることで、多段階の対応が可能となり、検出レンジの拡大を図ることができる。
【実施例３】
【００２７】
次に、図８を参照しながら、本発明の実施例３について説明する。同図の例は、図３(A)に示した計測回路を４つ接続したもので、計測回路ＳＡ〜ＳＤを備えており、入力端子Ｐ，Ｑ，Ｒは共通で、出力端子がＸ１〜Ｘ４と共通端子Ｙとなっている。また、商用電源ＡＣ１００[V]から各計測回路ＳＡ〜ＳＤに駆動電力を供給する電源回路ＥＧを備えている。
【００２８】
入力端子Ｐ，Ｑ（Ｑａ〜Ｑｄ）に、水槽１００内の水１０２の水位を検出するための電極棒１０４，１０６が接続されている。そして、計測回路ＳＡ〜ＳＤの抵抗Ｒ１ａ〜Ｒ１ｄの値を少しずつ調整し、電極棒１０４，１０６間の抵抗を４段階で検出できるように設定している。
【００２９】
水槽１００内の水位が最も低い状態では、電極棒１０４，１０６間の抵抗値は、最も高い状態にある。この状態から、水位が上昇すると、電極棒１０４，１０６間の抵抗値が下がるようになる。すなわち、水位の上昇に伴って、電極棒１０４，１０６間の抵抗値は徐々に低下していく。これが、計測回路ＳＡ〜ＳＤで順次検出され、出力端子Ｘ１〜Ｘ４の論理値がＬからＨ（もしくはその逆）になっていく。図示の例では、水槽１００内の水位を５段階で検出・測定することができる。
【実施例４】
【００３０】
次に、図９を参照しながら、本考案の実施例４について説明する。本実施例では、同図(A)に示すように、表示器（デジタルメーター）２００を入力端子Ｐ，Ｑ（Ｑａ〜Ｑｄ）に接続する。表示器２００は、入力端子Ｐ，Ｑ間の電位を表示するもので、例えば、同図(B)に示すような表示が行われる。同図の縦軸は抵抗Ｒ１ａ〜Ｒ１ｄの値に対応している。例えば、Ｒ１＝５ｋΩとしたとき、
(1) 表示器２００の表示が「２０」の場合は、入力端子Ｐ，Ｑ間の抵抗値が７．５ｋΩとなる。この「７．５ｋΩ」の値は、水道水の固有抵抗値（５ｋΩ〜１０ｋΩ）内となり、測定対象が水道水であると認識できる。なお、「７．５ｋΩ」を電気導電率に換算すると、１３３μｓ／ｃｍである。
(2) 表示器２００の表示が「１０」の場合は、入力端子Ｐ，Ｑ間の抵抗値が２０ｋΩとなる。この「２０．０ｋΩ」の値は、雨水の固有抵抗値（１５ｋΩ〜２５ｋΩ）内となり、測定対象が雨水であると認識できる。なお、「２０．０ｋΩ」を電気導電率に換算すると、５０μｓ／ｃｍである。
(3) 表示器２００の表示が「１」の場合は、入力端子Ｐ，Ｑ間の抵抗値が２４５ｋΩとなる。この「２４５ｋΩ」の値は、蒸留水の固有抵抗値（２５０ｋΩ〜３００ｋΩ）内となり、測定対象が蒸留水であると認識できる。なお、「２４５ｋΩ」を電気導電率に換算すると、４μｓ／ｃｍである。
【００３１】
他の抵抗値の場合も同様である。このように、本実施例によれば、表示器２００の表示を参照することで、測定対象の水の水位のみならず、種類も判別することができる。なお、表示器２００は、水槽１００内の水１０２の水位に関係なく、電極棒１０４，１０６間で水の存在が感知されれば、表示が行われる。例えば、図９(C)に示すように、電極棒１０６が１０４よりも短い場合であっても、水１０２が電極棒１０６の下端位置に達すれば、表示器２００における表示は可能である。
【実施例５】
【００３２】
次に、図１０を参照しながら、本考案の実施例５について説明する。本実施例では、前記図９の実施例に対して、検析制御・駆動回路３００を設けた構成となっている。検析制御・駆動回路３００は、入力端子Ｐ，Ｑ間に入力側が接続されたオペアンプ３０２と、このオペアンプ３０２の出力側に接続されたスイッチング素子としてのトランジスタ３０４と、このトランジスタ３０４と直列に接続されたリレー回路３０６によって構成されている。
【００３３】
入力端子Ｐ，Ｑ間の抵抗値が所定の値，例えば蒸留水に相当する値となったときは、それがオペアンプ３０２で検知され、トランジスタ３０４がＯＮとなる。これによりリレー回路３０６がＯＮとなり、このリレー回路３０６を含む警報器を動作させる，循環ポンプを作動して水の汚染度を下げる，水を交換を促すなど、各種の機能の駆動を行う，あるいは逆に駆動を停止するといった制御が可能となる。
【００３４】
なお、本考案は、上述した実施例に限定されるものではなく、本考案の要旨を逸脱しない範囲内において種々変更を加えることができる。例えば、以下のものも含まれる。
(1)前記実施例で示した回路構成は、同様の作用を奏するように設計変更可能である。例えば、図８の実施例では、計測回路を４つ設けたが、必要に応じて増減してよい。
(2)前記実施例では、本考案を水位センサないし水位計として使用した例であるが、液体の電導度を計測する電導度センサその他の各種のセンサの計測回路として使用することができる。
(3)前記実施例では、水位センサないし水位計としての電極棒１０４，１０６を垂直方向に設けたが、例えば、実用新案登録第3205469号にあるように、水平方向に設けた構造としてもよい。
(4)前記実施例では、フォトカップラＨＰ，ＨＰａ〜ＨＰｄとして、フォトトランジスタを使用しており、通電方向は一方向で直流駆動型である。これに対し、図８(B)に示すようなフォトトライアックを使用するフォトカップラＴＰ，ＴＰａ〜ＴＰｄを適用すれば、通電方向は双方向となり、交流駆動型とすることができる。
【産業上の利用可能性】
【００３５】
本考案によれば、デジタルＩＣによって構成された論理回路と、該論理回路の一方の入力側の論理値を予め決定するための回路を設けるとともに、前記論理値の他方の入力側と一方の電源側を計測用端子とし、前記論理値の他方の入力側と他方の電源側との間に、動作範囲を設定するための回路を設けることとしたので、計測回路の構成が大幅に簡略化されるとともに、各種の対象に対する計測を行うことができ、例えば、水位センサなどに好適である。
【符号の説明】
【００３６】
Ａ，Ｂ：入力
Ｃ：出力
ＥＧ：電源回路
ＨＰ，ＨＰａ〜ＨＰｄ，ＴＰ，ＴＰａ〜ＴＰｄ：フォトカップラ
ＩＣ１：論理回路
Ｐ，Ｑ，Ｑａ〜Ｑｄ：入力端子
Ｒ１，Ｒ１ａ〜Ｒ１ｄ：抵抗
Ｒ２：可変抵抗
ＲＡ，ＲＢ：抵抗
ＳＡ〜ＳＤ：計測回路
ＳＷ１：スイッチ
ＴＲ１：トランジスタ
ＶＤＤ，ＶＳＳ：駆動電圧
Ｘ，Ｙ：出力端子
Ｘ１〜Ｘ４：出力端子
１００：水槽
１０２：水
１０４，１０６：電極棒
２００：表示器
３００：検析制御・駆動回路
３０２：オペアンプ
３０４：トランジスタ
３０６：リレー回路
【図１】
0003225240.tif 000003
【図２】
0003225240.tif 000004
【図３】
0003225240.tif 000005
【図４】
0003225240.tif 000006
【図５】
0003225240.tif 000007
【図６】
0003225240.tif 000008
【図７】
0003225240.tif 000009
【図８】
0003225240.tif 000010
【図９】
0003225240.tif 000011
【図１０】
0003225240.tif 000012
【手続補正書】
【提出日】令和1年12月12日(2019.12.12)
【手続補正１】
【補正対象書類名】実用新案登録請求の範囲
【補正対象項目名】全文
【補正方法】変更
【補正の内容】
【実用新案登録請求の範囲】
【請求項１】
デジタルＩＣによって構成された論理回路と、
該論理回路の一方の入力側の論理値を予め決定するための回路を設けるとともに、
前記論理値の他方の入力側と一方の電源側を計測用端子とし、
前記論理値の他方の入力側と他方の電源側との間に、動作範囲を設定するための回路を設けたことを特徴とする計測回路。
【請求項２】
前記論理回路の出力側に、入力側と出力側を電気的に分離する分離回路を設けたことを特徴とする請求項１記載の計測回路。
【請求項３】
前記計測回路を、複数並列に接続したことを特徴とする請求項１又は２記載の計測回路。
【請求項４】
前記論理回路は、Ｃ−ＭＯＳ型もしくはＴＴＬ型のＮＡＮＤ回路もしくはＡＮＤ回路であることを特徴とする請求項１〜３のいずれか一項に記載の計測回路。
【請求項５】
請求項１〜４のいずれか一項に記載の計測回路を使用するセンサであって、
前記計測用端子に計測対象を計測するための電極を接続したことを特徴とするセンサ。
【請求項６】
前記計測対象が液体の水位であり、前記液体に投入された電極棒を前記計測用端子に接続したことを特徴とする請求項５記載のセンサ。
【請求項７】
前記センサに、前記計測対象の種類を示す表示を行う表示手段を設けたことを特徴とする請求項５又は６記載のセンサ。